(57)【要約】【課題】  装着者の行動を妨げることなく、簡便かつ低消費電力で装着者の音声認識を行うことのできる音声処理システムを提供する。【解決手段】  音声処理システムは、無線通信機能付きヘッドセットと、ヘッドセットと無線通信可能な外部装置とを含み、無線通信機能付きヘッドセットは、ヘッドセットの装着者の音声を検出して音声信号を生成するマイクロホンと、音声信号を認識し、認識した音声信号の内容に対応する識別信号を生成する音声認識手段と、音声認識手段によって生成された識別信号を、無線通信により外部装置へ送出する認識結果伝送手段とを備え、外部装置は、受信した識別信号に対応する動作を行う。【選択図】      図７
2006023773.tif 000002
【特許請求の範囲】
【請求項１】
無線通信機能付きヘッドセットと、
前記ヘッドセットと無線通信可能な外部装置と
を含み、前記無線通信機能付きヘッドセットは、
前記ヘッドセットの装着者の音声を検出して音声信号を生成するマイクロホンと、
前記音声信号を認識し、認識した音声信号の内容に対応する識別信号を生成する音声認識手段と、
前記音声認識手段によって生成された識別信号を、無線通信により前記外部装置へ送出する認識結果伝送手段と
を備え、前記外部装置は、前記受信した識別信号に対応する動作を行う音声処理システム。
【請求項２】
前記外部装置は、複数の識別信号と、前記識別信号にそれぞれ対応する動作とを関連づけて格納するテーブルを有する請求項１に記載の音声処理システム。
【請求項３】
前記ヘッドセットは、前記マイクロホンで生成された音声信号を音声認識手段で処理するか否かを切り替える機能選択手段をさらに備える請求項１または２に記載の音声処理システム。
【請求項４】
無線通信機能付きヘッドセットと、
前記ヘッドセットと無線通信可能な音声認識機能付き外部装置と
を含み、前記無線通信機能付きヘッドセットは、
前記ヘッドセットの装着者の音声を検出して音声信号を生成するマイクロホンと、
前記音声信号を無線通信により前記外部装置器へ送信する音声伝送手段と
を備え、前記外部装置は、
前記ヘッドセットから送信された音声信号を受信する音声受信手段と、
前記受信した音声信号を認識する音声認識手段と
を備える音声処理システム。
【請求項５】
前記外部装置は、前記音声認識手段による認識結果に応じた動作を行う請求項４に記載の音声処理システム。
【請求項６】
前記外部装置は、表示部をさらに有し、
前記音声認識手段は、前記受信した音声信号を認識して、認識した音声信号の内容に対応する識別信号を生成し、当該識別信号を文字に変換して出力し、
前記表示部は、認識結果である文字を表示する請求項４に記載の音声処理システム。
【請求項７】
前記ヘッドセットは、前記音声信号を認識する音声認識手段をさらに有する請求項４に記載の音声処理システム。
【請求項８】
無線通信機能付きヘッドセットと、
音声認識機能を有し前記ヘッドセットと無線通信可能な第１の外部装置と、
前記第１の外部装置と無線通信可能な第２の外部装置と
を含み、前記無線通信機能付きヘッドセットは、
前記ヘッドセットの装着者の音声を検出して音声信号を生成するマイクロホンと、
前記音声信号を無線通信により前記第１の外部装置へ送信する音声伝送手段と
を備え、前記第１の外部装置は、
前記ヘッドセットから送信された音声信号を受信する音声受信手段と、
前記受信した音声信号を認識し、認識した音声信号の内容に対応する識別信号を生成する音声認識手段と、
前記識別信号を無線通信により前記第２の外部装置へ送信する認識結果伝送手段と
を備え、前記第２の外部装置は、前記第１の外部装置から受信した単語ＩＤに対応する動作を行う音声処理システム。
【発明の詳細な説明】
【技術分野】
【０００１】
本発明は、音声処理システムに関し、特に音声認識機能や音声伝送機能を搭載しつつ、これら機能の操作の簡便化と消費電力の低減を実現できる無線通信機能付きヘッドセットと、このようなヘッドセットと音声認識機能を搭載した機器との間で必要とされる音声処理技術に関する。
【背景技術】
【０００２】
従来、機器を操作するには、スイッチやキーボード等の操作を当然に必要としていた。機器の操作が複雑になるほど、スイッチの個数が増える、操作シーケンスが複雑になるなど、操作性の低下を引き起こすという問題があった。また、両手がふさがっている場合に、スイッチやキーボードの操作ができないという不便もあった。
【０００３】
近年、これらの問題を解決するための有力な手段として、音声認識技術が利用され始めている。
【０００４】
音声認識技術を用いた機器は、機器のユーザが発した音声の内容に呼応して機器の動作を制御できるため、機器の操作を大幅に簡略化できる。さらには、音声により、離れた位置にある家電機器や機械、ロボットなどを制御することが、いつでもどこでも可能になり、機械的（物理的）スイッチを低減できるので、その経済的効果が大きく、ユビキタス時代の重要技術として注目されてきた。
【０００５】
一般に、入力音声を認識する音声認識機能を搭載した機器では、機器に備え付けられたマイクや、ケーブルで接続されたマイクを用いて、ユーザの音声を採取する。機器には、その機器で認識対象となる語彙(認識語彙)の読みが保持されており、その読みに基づいて対応する認識語彙を構成する単語音声モデルをあらかじめ作成し、入力音声の認識のために記憶しておく。この種の音声認識装置での入力音声の認識は、次のように行われる。
【０００６】
まずマイクで検出した音声信号を音響分析して、特徴パラメータ系列を求める。次に、求めた音声信号の特徴パラメータ系列を、あらかじめ作成しておいた各認識語彙を構成する単語音声モデルと照合して、入力音声を認識する。
【０００７】
音声認識装置において、機器自体にマイクが設置されている場合、ユーザが機器から離れたままで発声すると、マイクで検出した音声信号に雑音が重畳し、認識性能が低下してしまう。したがって、高精度で認識させるためには、ユーザは機器に近づいて発声しなければならない。マイクがケーブルで機器に接続されている場合も、ユーザから離れた場所にマイクが設置されている場合は、結局マイクロホンまで近づいて発声しなければならない。
【０００８】
機器に接続したマイクが、ユーザの口近くに配置される接話型マイクもあるが、機器とマイクを接続するケーブルがユーザの行動範囲を狭めてしまうという問題がある。ワイヤレス型の接話マイクを使用した場合には、ユーザの行動は制限されないが、マイクロホンで検出した音声信号に電気的ノイズが重畳してしまい、音声認識性能が低下する。
【０００９】
通常、音声認識技術では、多量の信号処理と照合処理を行った後に、認識結果が出力される。これらの処理をほぼリアルタイムで行わなければ、機器はユーザの発声完了後に速やかに対応の動作を行うことができない。このため、音声認識技術を搭載した機器は十分な計算能力を持っている必要があり、安価な機器や小型化が必要な機器には搭載しにくいという問題もある。
【００１０】
近年、携帯型電子録音装置が利用され始めている。これは、装置が内蔵する音声信号を装置内の記憶領域に保存し、保存した音声を再生するものであり、メモ代わりに音声を記録する用途等に用いられている。また保存した音声を、パーソナルコンピュータ等の機器にケーブルを介して転送して、パーソナルコンピュータに搭載された大容量のハードディスクに音声データを蓄積することができる。
【００１１】
パーソナルコンピュータに音声認識機能が搭載されている場合には、蓄積した音声データを音声認識技術で認識して、テキストファイルに変換できる。
【００１２】
音声メモにおいて、発声された文章の音声認識は、上述した通常の音声認識技術で行われる。すなわち、あらかじめ文章で使用される可能性のある単語を選択しておき、これらの単語を認識語彙とする。このような単語として、数万〜１０万単語程度を選択することが多いが、話題が限定される場合は、これより少なくても構わない。認識語彙の読みから対応する単語の音声モデルをあらかじめ作成しておき、入力音声の認識のために記憶しておく。さらに、これらの単語間のつながりやすさをあらわす言語モデルをあらかじめ作成しておき、入力音声の認識のために記憶しておく。
【００１３】
音声認識は、蓄積された音声データを音響分析して特徴パラメータ系列を求める。次に、求めた音声の特徴パラメータ系列をあらかじめ作成しておいた各認識単語の単語音声モデル及び言語モデルと照合して、入力音声を認識する。
【００１４】
しかし、携帯型電子録音装置では、携帯性を高めるために、内部の記憶領域は半導体メモリで構成されていることが多く、内部に保存できる音声の量は制限される。また、保存された音声をパーソナルコンピュータ等に転送する際には、ケーブルで接続するか、取り外し可能な記録メディアを経由する必要があり、リアルタイムで他機器に音声情報を転送することはできない。
【００１５】
また、手がふさがった状態で装置を使用する場合には、ヘッドセット型マイクロホンやクリップ付きマイクロホンを、ケーブルで携帯型電子録音装置に接続する必要がある。ケーブルは行動の妨げになるうえに、その都度の接続が面倒である。
【発明の開示】
【発明が解決しようとする課題】
【００１６】
このように、従来の音声認識技術を用いた機器では、正確に音声を認識するために、常にユーザとマイクの位置関係に注意して使用し、必要に応じてマイクに近寄って発声する必要があった。
【００１７】
また、ヘッドセット型マイクロホンを使用する場合には、マイクロホンと機器を接続するケーブルで行動が妨げられるという問題があった。音声認識技術が必要とする計算容量を持たないヘッドセットでは、音声による操作そのものが不可能である。
【００１８】
また、携帯型の電子録音装置では、内部に保存できる音声データの量が制限され、保存したデータをリアルタイムで他機器に転送できない。また、マイクをケーブルで接続する必要があり、ケーブルが行動の妨げになる、接続が面倒であるなどの問題があった。
【００１９】
本発明は、上述した問題を克服するために、ユーザの行動を妨げることなく高精度な音声認識技術を実現することのできる音声処理システムを提供する。
【００２０】
また、音声データをリアルタイムで他機器に転送することのできる無線通信機能付きヘッドセットを含む音声処理システムを提供する。
【００２１】
さらに、機能選択手段によって不要なときに音声認識機能や音声伝達機能を停止する手段を設け、消費電力を低減することのできる無線通信機能付きヘッドセットを含む音声処理システムを提供する。
【００２２】
さらに、ヘッドセットから音声データをリアルタイムで第２の装置に転送して、第２の装置でその音声を認識することのできる音声処理システムを提供する。さらに第２の装置から第３の装置へと音声認識結果を無線送信することによって、第３の装置の動作を制御する音声処理システムを提供する。
【課題を解決するための手段】
【００２３】
上記課題を達成するために、本発明の第１の側面では、無線機能付きヘッドセットは、
（ａ）音声を検出して音声信号を生成するマイクロホン
（ｂ）生成された音声信号を認識する音声認識手段
（ｃ）音声認識手段による認識結果を、無線通信により外部の機器へ送出する認識結果伝送手段
（ｄ）生成された音声信号を音声認識手段で処理するか否かを切り替える機能選択手段
を備える。
【００２４】
ヘッドセットと他の機器とをケーブル等で接続する必要がないので、ユーザの行動が制限されることはない。また、ユーザは機能選択手段により、任意で音声認識処理を選択することができる。音声認識処理が選択された場合は、無線通信機能付きヘッドセット内で、簡便かつ低消費電力で認識処理を行う。ヘッドセットと無線通信できる外部の機器に音声認識技術を搭載しなくとも、これらの機器をたとえば音声コマンドにより操作することが可能となる。また、ヘッドセット内部において、簡単な話者認識、文認識、対話理解等を行うことが可能になる。
【００２５】
本発明の第２の側面では、無線通信機能付きヘッドセットは、
（ａ）音声を検出して音声信号を生成するマイクロホン
（ｂ）生成された音声信号を認識する音声認識手段
（ｃ）音声認識手段による認識結果を無線通信により外部の機器へ送出する認識結果伝送手段
（ｄ）生成された音声信号を、無線通信により外部の機器へ送信する音声伝送手段
（ｅ）音声信号を、音声認識手段と音声伝送手段のいずれで処理するかを選択する機能選択手段
を備える。
【００２６】
好ましくは、機能選択手段は、音声信号を、音声認識手段と音声伝送手段のいずれでも処理しないモードと、音声認識手段と音声伝送手段の双方で処理するモードの少なくとも一方をさらに有する。
【００２７】
ユーザは、機能選択手段を操作することによって、音声認識処理と音声伝送処理を任意で選択することができる。音声認識を選択した場合は、第１の側面で説明したヘッドセットと同様に、ヘッドセット内で少ない演算量で簡便に音声を認識し、たとえば認識した音声コマンドによって遠隔の機器を操作する、音声を文章として認識する、等を行うことができる。一方、音声伝送を選択した場合は、マイクロホンで検出した音声信号を無線伝送した後に、伝送先の機器において詳細な音声認識を行うことができる。この場合、より正確な文認識や、意図理解、話者認識、対話理解を行うことができる。また、音声データの送信先の機器が大容量の記憶装置を有する場合、長時間にわたる音声データを常時蓄積し、それを再生することができ、有用性が増す。
【００２８】
本発明の第３の側面では、無線通信機能付きヘッドセットと、このヘッドセットと無線通信可能な外部装置とを含む音声処理システムを提供する。このシステムを構成する無線通信機能付きヘッドセットは、ヘッドセット装着者の音声を検出して音声信号を生成するマイクロホンと、生成された音声信号を認識し、認識した音声信号の内容に対応する識別信号を生成する音声認識手段と、音声認識手段によって生成された識別信号を無線通信により前記外部装置へ送出する認識結果伝送手段とを備える。一方、外部装置は、ヘッドセットから識別信号を受信したときに、この識別信号に対応する動作を開始する。
【００２９】
外部装置は、例えば、複数の識別信号と、これらの識別信号のそれぞれに対応する動作とを関連づけて格納するテーブルを有し、このテーブルを検索することによって、所望の動作を開始する。
【００３０】
この音声処理システムにより、ヘッドセットと無線通信可能な外部装置は、対応テーブルを格納するだけでよく、構成的な変更をほとんど要さない。ヘッドセットを装着したユーザは、音声コマンドにより、外部装置を操作することができる。
【００３１】
本発明の第４の側面では、音声処理システムは、無線通信機能付きヘッドセットと、音声認識機能を有しヘッドセットと無線通信可能な外部装置とを含む。無線通信機能付きヘッドセットは、ヘッドセットの装着者の音声を検出して音声信号を生成するマイクロホンと、音声信号を無線通信により外部装置器へ送信する音声伝送手段とを備える。一方、外部装置は、ヘッドセットから送信された音声信号を受信する音声受信手段と、受信した音声信号を認識する音声認識手段とを備える。
【００３２】
外部装置の音声認識手段は、たとえば、受信した音声信号の内容に対応する識別信号を生成し、外部装置は、生成された識別信号に対応する動作を行う。
【００３３】
あるいは、音声認識手段は、生成した識別信号を文字列に変換して出力する。この場合、外部装置は、表示部をさらに有し、音声認識結果としての文字列を表示する。
【００３４】
このシステムでは、外部装置に音声認識機能を持たせる。外部装置が十分な容量と演算能力を有する場合、より難易度の高い音声認識を行うことが可能になる。
【００３５】
また、外部装置にテキスト変換機能と表示機能を持たせることにより、ヘッドセットからの受信信号を受信しながら、ほとんどリアルタイムで音声を文字認識し、認識結果を画面に表示することが可能になる。
【００３６】
本発明の第５の側面では、音声処理システムは、無線通信機能付きヘッドセットと、音声認識機能を有してヘッドセットと無線通信可能な第１の外部装置と、第１の外部装置と無線通信可能な第２の外部装置とを含む。無線通信機能付きヘッドセットは、ヘッドセットの装着者の音声を検出して音声信号を生成するマイクロホンと、この音声信号を無線通信により第１の外部装置へ送信する音声伝送手段とを備える。第１の外部装置は、ヘッドセットから送信された音声信号を受信する音声受信手段と、受信した音声を認識し、認識した音声信号の内容に対応する識別信号を特定する音声認識手段と、特定した識別信号を無線通信により第２の外部装置へ送信する認識結果伝送手段とを備える。第２の外部装置は、第１の外部装置から受信した単語ＩＤに対応する動作を行う。
【００３７】
このシステムによれば、ヘッドセットで採取したユーザの音声を、容量と演算能力の高い第１の外部装置を用いて音声認識し、この第１の外部装置を介して、第２の外部装置の操作を制御する。これにより、より複雑な音声処理が可能になる。
【発明の効果】
【００３８】
本発明によれば、無線通信機能付きヘッドセットに、音声認識手段、音声伝送手段、それらを切り替えるための機能選択手段を備えることによって、ユーザの行動を妨げることなく、ユーザの意図に応じた音声認識をすることのできるヘッドセットが提供される。
【００３９】
ヘッドセット内部において、簡便で低消費電力の音声認識を行うとともに、ヘッドセット外部の機器に音声データを伝送した場合は、難易度の高いより正確な音声認識を行うことができる。
【００４０】
また、音声認識処理機能と、音声伝送処理機能をユーザの選択により任意で一時停止することができ、無線通信機能付きヘッドセットの消費電力を節減することが可能となる。
【００４１】
さらに、ヘッドセットから音声データを大容量の第２の装置に転送した場合は、第２の装置においてリアルタイムで受信音声を認識し、テキスト変換、編集、保存、再生などを可能にする。これにより、システムの利便性がいっそう向上する。
【００４２】
本発明では音声認識機能を搭載した無線機能付ヘッドセットをウェアラブルおよびユビキタス時代最も人間に身近な機器として位置付けており、音声認識の高性能化と応用を拡大するとともに、ヘッドセットの小型低価格化を可能とする。
【００４３】
また、人間にとって最も身近なヘッドセットと音声入力を利用することにより、高齢者や障害者の情報機器システムやネットワーク利用が加速され、さらには、各種機器システムとのインタラクションや、各種サービス・コンテンツとの利用が可能となる。結果として、各種機器システム産業、情報通信メディア産業、サービス産業の活性化に貢献できる。
【発明を実施するための最良の形態】
【００４４】
以下、本発明の実施形態について図面を参照して説明する。
【００４５】
(第1実施形態)
図１および２は、本発明の第１実施形態に係る無線通信機能付きヘッドセット１０の外観と、その概略システム構成を示す。無線通信機能付きヘッドセット１０は、ヘッドセット１０の装着者（ユーザ）の発する音声を検出して電気的な音声信号を生成するマイクロホン１３と、この音声信号をデジタル変換を経て音声認識する音声認識部２３と、音声認識部２３による認識結果を無線通信モジュール１７から外部の機器に送信する認識結果伝送手段２５と、マイクロホン１３で検出した音声信号を音声認識処理するか否かを選択する機能選択手段２０を備える。機能選択手段は機能選択スイッチ１４を含み、ユーザは、機能選択スイッチ１４を操作することによって、任意で音声認識処理を選択できる。
【００４６】
無線通信機能付きヘッドセット（以下、場合に応じて単に「ヘッドセット」と称する）１０は、左右の耳あて１１を柔軟なフレームで接続した形状をしており、ユーザの頭部に装着して使用する。一方の耳あてからはアーム１５が伸びており、その先端にマイクロホン１３がついている。マイクロホンは、ユーザがヘッドセット１０を装着したときに、ユーザのほぼ口元に位置し、周囲ノイズの重畳が少ない音声を検出する。
【００４７】
耳あて１１の中には、スピーカ(左右)１７、ＣＰＵボード１６、無線通信モジュール１７、バッテリー１２が内蔵されている。いずれか一方の耳あての外側に機能選択スイッチ１４が配置され、上述したように、ユーザの意思で音声認識処理を行うか否かを選択できる構成となっている。なお、図示はしないが各要素は必要に応じてケーブルで接続されている。
【００４８】
ＣＰＵボード１６には、ＣＰＵとその周辺回路、メモリ（不図示）、Ａ／Ｄ変換器２１、機能選択部１９などが搭載されている。Ａ／Ｄ変換器２１は、マイクロホン１３で検出したアナログ音声信号をデジタル音声信号に変換し、変換結果をＣＰＵに入力する。機能選択部１９は、機能選択スイッチ１４の状態を検出してＣＰＵに通知する。
【００４９】
無線通信モジュール１７は、外部の機器とデジタル無線通信を行う。より具体的には、ＣＰＵボード１６から送られてきた信号を、外部の他の機器（不図示）に送信し、他の機器から発信された信号を受信してＣＰＵボード１６に転送する送受信機能を持つ。
【００５０】
音声認識手段はＣＰＵボード１６上のＡ／Ｄ 変換器２１および音声認識部２３を含む。音声伝送手段２５は、ＣＰＵボード１６上のＣＰＵ及びその周辺回路と、無線通信モジュール１７とで実現される。機能選択手段２０は機能選択スイッチ１４と、ＣＰＵボード１６上のＣＰＵ及び周辺回路で実現され、その出力が音声認識部２３に接続される。上述したように、ユーザが機能選択スイッチ１４を操作することにより、音声認識部の処理動作を制御することができる。
【００５１】
図１および２に示すヘッドセット１０の概観およびシステム構成は本発明の技術思想を実現するための一例に過ぎず、このような構成に限定されるわけではない。例えば、音声認識手段として、専用の音声認識処理を行う回路を備えていてもよい。また、例えば、信号処理を高速で行うためのＤＳＰを備えていてもよい。さらに、例えば、機能選択スイッチ１４は２個に分割して両耳あてに配置してもよい。
【００５２】
図３は、機能選択スイッチ１４の一例を示す。ユーザは必要に応じて、機能選択スイッチ１４を操作して、２つの状態を切り替えることができる。ここでは、ユーザが、マイクロホン１３で検出した音声信号を音声認識部２３で処理することを選択した場合には状態１、処理しないことを選択した場合には状態２とする。
【００５３】
機能選択スイッチ１４は、たとえば２個の押しボタンスイッチを有し、常にいずれか一方のみがＯＮ になるタイプのスイッチとする。ユーザが押しボタンスイッチ３１を押してＯＮにした場合には、機能選択スイッチ１４は状態１になる。これに連動して、押しボタンスイッチ３２は自動的にＯＦＦになる。逆に、ユーザが押しボタンスイッチ３２を押してＯＮにした場合には、機能選択スイッチ１４は状態２になり、他方の押しボタンスイッチ３１は自動的にＯＦＦになる。機能選択部２０は機能選択スイッチ１４の状態に応じて、状態１であれば音声認識動作信号を音声認識部２３に出力し、状態２であれば音声認識停止信号を音声認識部２３に出力する。
【００５４】
音声認識部２３は、機能選択部１９の出力が音声認識動作信号の場合には、マイクロホンで検出した音声信号を認識して、その出力を認識結果伝送手段２５に送る。機能選択部１９の出力が音声認識停止信号の場合には、その動作を停止する。
【００５５】
図４は、音声認識部２３の内部構成を示す。Ａ／Ｄ変換器２１の出力は、まず認識用信号遮断機４１に入力される。認識用信号遮断機４１の動作は、機能選択部１９の出力信号によって制御される。機能選択部１９の出力が音声認識動作信号である場合は、Ａ／Ｄ変換器２１から出力される信号を音響分析部に入力する。機能選択部の出力信号が音声認識停止信号の場合には、Ａ／Ｄ変換器２１からの出力を遮断する。
【００５６】
より具体的には、機能選択部１９の出力が音声認識動作信号である場合、認識用信号遮断機４１が閉じられ、Ａ／Ｄ変換器２１から出力されるデジタル音声信号は、音響分析部４３に入力される。音響分析部４３は、入力された音声を特徴パラメータに変換する。音声認識に使用される代表的な特徴パラメータとしては、バンドパスフィルタやフーリエ変換で求めることができるパワースペクトルや、ＬＰＣ(線形予測)分析によって求めたケプストラム係数などがよく用いられるが、ここではその特徴パラメータの種類は問わない。音響分析部４３は、一定時間ごとに入力音声を特徴パラメータに変換する。したがってその出力は特徴パラメータの時系列(特徴パラメータ系列)となる。この特徴パラメータ系列はモデル照合部４５に供給される。
【００５７】
一方、認識語彙記憶部４７には、認識語彙を構成する各単語の音声モデルを作成するために必要な単語の読み情報と、各単語が認識されたときに認識結果に対応する識別子、たとえばコマンドＩＤが記憶されている。なお、本実施形態では、ヘッドセット内の音声認識として、単語認識による音声制御を例にとって説明するが、本発明はこれに限定されるものではない。ヘッドセット内の音声認識部２３は、連続単語認識、文認識、単語スポッティング、音声意図理解など、演算量、メモリ容量、消費電力が少ない音声認識を行い、その結果を無線通信により外部機器システムに伝送することができる。
【００５８】
認識モデル作成・記憶部４９は、認識語彙記憶部４７に記憶された認識語彙にしたがって、各単語の音声モデルと、各単語が認識結果となったときに認識結果として照合部４５から出力される識別信号としての単語ＩＤをあらかじめ記憶しておく。もちろん、単語認識以外の認識を行う場合は、それに応じた識別信号を格納する。
【００５９】
モデル照合部４５は、音声モデル作成・記憶部４９に記憶しておいた認識対象とする単語の各音声モデルと、上記入力音声の特徴パラメータ系列との類似度あるいは距離を求め、類似度が最大(あるいは距離が最小)の音声モデルと対応付けられた単語ＩＤを認識結果として出力する。
【００６０】
モデル照合部４５の照合方法としては、音声モデルも特徴パラメータ系列で表現しておき、ＤＰ(動的計画法)で音声モデルの特徴パラメータ系列と入力音声の特徴パラメータ系列の距離を求める方法や、ＨＭＭ(隠れマルコフモデル)を用いて音声モデルを表現しておき、入力音声の特徴パラメータ系列が入力されたときの各音声モデルの確率を計算する手法などが広く使用されているが、特に手法は問わない。
【００６１】
モデル照合部４５から出力された単語ＩＤは、そのまま音声認識部２３の出力となり、認識結果伝送手段２５（図２参照）に入力される。認識結果伝送部２５は、無線通信モジュール１７の送信機能を用いて、他の機器に単語ＩＤを無線送信する。
【００６２】
機能選択部１９の出力が音声認識停止信号である場合は、認識用信号遮断機４１は開いており、Ａ／Ｄ信号は音響分析部４３に入力されない。したがって、音響分析部４３からの出力はない。同様に、モデル照合部４５への入力も無いため、モデル照合部４５からの出力もない。
【００６３】
このように、ヘッドセット１０のユーザが、音声認識手段で処理をしないことを選択した場合（すなわち機能選択スイッチ１４の状態が状態２の場合）、音響分析部４３、モデル照合部４５、認識結果伝送手段２５による一連の処理は行われない。この場合、演算量は大きく減少する。音響分析部４３、モデル照合部４５、認識結果伝送手段２５を実現しているＣＰＵが演算能力および使用電力を一時的に低減する省電力モードを持っている場合には、機能選択スイッチ１４の状態が状態２になったとき、あるいは音声認識停止信号を検出したときに、ＣＰＵを省電力モードに移行させることが可能である。ユーザが音声信号を音声認識手段で処理しないことを選択している間は、ＣＰＵが省電力モードで動作するため、バッテリーに対する負荷が減少し、無線通信機能付きヘッドセットの動作時間を延長することができる。機能選択スイッチ１４が状態２を脱した時（すなわち音声認識動作信号が出力されたとき）には、速やかにＣＰＵを通常モードに移行させ、本来の演算能力が発揮できる状態とする。
【００６４】
図５は、ヘッドセット内に設けられた認識語彙記憶部４７の記憶内容の一例を示す。この例では、ヘッドセット１０を装着したユーザが、音声コマンドでエアコンの制御を行う。従って、ユーザの発した音声を音声認識部２３が認識した結果は、無線通信によりエアコンに送信される。
【００６５】
図５の例では、認識語彙として、「えあこんつける」、「えあこんとめる」、「おんどあげる」、「おんどさげる」を格納し、各語彙にそれぞれ「０１」、「０２」、「０３」、「０４」の単語ＩＤが与えられている。ユーザが発した「エアコンつける」という音声がヘッドセット１０の音声認識部２３で認識された場合、ＩＤ「０１」がエアコンに対して無線送信されることになる。
【００６６】
認識語彙記憶部４７の記憶内容にしたがって、音声モデル作成・記憶部４９の記憶内容が作成される。図５の記憶内容の例では、「えあこんつける」、「えあこんとめる」、「おんどあげる」、「おんどさげる」の各言葉に対応する音響モデルが作成され、それぞれの言葉の識別信号（単語ＩＤ）と組になって記憶される。
【００６７】
一方、エアコンは、図６に示すように、それぞれの単語ＩＤを、それに対応する動作と組にして記憶している。したがって、ヘッドセットから音声認識結果（すなわち単語ＩＤ）を受信すると、その単語ＩＤに対応した動作を行う。
【００６８】
図７（ａ）は、ヘッドセットのユーザが、機能切り替えスイッチ１４によって音声認識処理モードを選択している状態で、「エアコンつける」と発声したところを示している。ユーザが発声した音声はマイクロホンで検出され、Ａ／Ｄ変換部２１でデジタル信号に変換される。機能選択スイッチ１４の状態が状態１であるため、機能選択手段１９は音声認識動作信号を出力している。したがって認識用信号遮断機４１は閉になっており、デジタル信号は音声分析部４３に入力されて特徴量パラメータ系列に変換され、照合部４５に入力される。照合部４５は入力された特徴パラメータ系列と、音響モデル作成・記憶部４９に記憶された各単語の音声モデルを照合する。その結果、「えあこんつける」に対応する音声モデルの類似度がもっとも高くなった場合には、照合部４５は認識結果として単語ＩＤ「０１」を出力する。
【００６９】
単語ＩＤ「０１」は認識結果伝送手段２５に入力され、エアコンに単語ＩＤ「０１」が送信される。
【００７０】
エアコンは単語ＩＤ「０１」を受信すると、図６の対応テーブルにしたがって、エアコン機能の動作を開始する。図７（ｂ）は、ヘッドセットのユーザが、機能切り替えスイッチ１４で音声認識処理しないモードを選択している状態で、「エアコンつける」と発声したところを示している。ユーザが発声した音声はマイクロホンで検出され、Ａ／Ｄ変換部２１でデジタル信号に変換される。機能選択スイッチ１４が状態２であるため、機能選択手段１９は音声認識停止信号を出力している。したがって認識用信号遮断機４１は開になっており、デジタル信号は音声分析部４３に入力されない。この場合、認識結果は得られず、エアコンに認識結果は送信されない。エアコンは動作を開始しない。
【００７１】
上述した無線通信機能付きヘッドセット１０は、付属のマイクロホン１３を使ってユーザの音声を検出する。付属マイクロホン１３は、ユーザの口付近に配置されるため、マイクロホンで検出した音声信号は周辺ノイズの重畳が少なく、その音声を認識する場合に高い認識性能を得ることができる。
【００７２】
認識された音声コマンドを無線通信により他の機器に送信するので、ケーブルを必要とせず、ユーザの行動が妨げられることはない。
【００７３】
ヘッドセット１０の側で音声の認識を行うため、このヘッドセットと無線通信できる機能を持つ機器は、音声認識技術を搭載しなくても、ユーザが発する音声で操作することが可能になる。
【００７４】
さらに、音声認識手段で処理するか否かを選択する機能選択手段を備えているため、ユーザは自分の意思で、自分が発した音声を音声認識処理しないことが選択できる。音声認識手段の動作中は大量の計算をリアルタイムで行って検出した音声信号を処理するために、高速な動作クロックで演算装置を駆動する必要があるが、音声認識手段で音声を処理しない場合には音声認識にかかわる計算をする必要がなくなり、演算装置の動作クロックを低下させることが可能である。演算装置は、動作クロックが高いほどその消費電力が高くなるため、音声認識手段での処理を停止させることによって、無線通信機能付きヘッドセットの消費電力を大幅に低下させることが可能となる。無線通信機能付きヘッドセットは、外部から電力の供給を受けられず、電池もしくは蓄電池により動作する。したがって、消費電力が低下することは、無線通信機能付きヘッドセットの動作時間を延長できることになり、無線通信機能付きヘッドセットの有用性が向上する。
【００７５】
(第２実施形態)
図８は本発明の第２実施形態に係るヘッドセットのシステム構成例を示す。第１実施形態では、音声信号は、音声認識部で簡便に分析、照合され、ユーザが発した語彙に対応する識別（ＩＤ）信号が、制御対象である外部の機器に無線送信される構成を示した。第２実施形態では、ヘッドセット内での音声認識に加え、音声認識前の音声データをリアルタイムで他の機器に無線送信する構成例を説明する。
【００７６】
まず、マイクロホン１３で検出した音声信号は、Ａ／Ｄ変換器２１に入力され、アナログ信号からデジタル音声信号に変換される。デジタル音声信号は二分され、一方は音声認識部２３へ入力され、もう一方は音声伝送手段５３に入力される。
【００７７】
機能選択手段５０は、機能選択スイッチ５１と機能選択部１９とで構成される。機能選択スイッチ５１を操作して、ユーザは必要に応じて２つの状態を切り替えることができる。ここでは、マイクロホンで検出した音声信号を音声認識部２３で処理することを選択した場合には状態１、マイクロホンで検出した音声信号を音声伝送手段５３で処理することを選択した場合には状態２となることにする。
【００７８】
図９は、機能選択スイッチ５１の一例を示す。機能選択スイッチ５１には、２個の押しボタンスイッチがついている。この２個の押しボタンスイッチは常にいずれか一方のみがＯＮになるようになっている。ユーザが押しボタンスイッチ５１を押してＯＮにした場合には、機能選択スイッチは状態1になる。これに連動して押しボタンスイッチ１０１は自動的にＯＦＦになる。ユーザが押しボタンスイッチ１０２を押してＯＮにした場合には、機能選択スイッチは状態２になる。これに連動して押しボタンスイッチ１０１は自動的にＯＦＦになる。機能選択部１９は、機能選択スイッチ５１が状態１にある場合は、音声認識部２３に音声認識動作信号を出力すると同時に、音声伝送手段５３に対しては音声伝送停止信号を出力する。機能選択スイッチ５１が状態２の場合は、音声認識部２３に音声認識停止信号を出力すると同時に、音声伝送手段５３に音声伝送動作信号を出力する。音声認識部２３の動作は、第1実施形態で説明したのと同様である。
【００７９】
図１０は、音声伝送部手段５３の内部構成を示す。
【００８０】
Ａ／Ｄ変換器２１でデジタル信号に変換された音声信号は、まず伝送用信号遮断機５５に入力される。伝送用信号遮断機５５は、機能選択部１９から出力信号が伝送動作信号の場合には閉じられ、Ａ／Ｄ変換器２１から出力される信号を、音声符号化部５７に入力する。機能選択部１９の出力信号が伝送停止信号の場合には、伝送信号遮断器５５は開き、Ａ／Ｄ変換器２１からの出力を遮断する。
【００８１】
音声符号化部５７は、伝送用遮断器５５を介して入力されたデジタル音声信号を、あらかじめ定められた方法で符号化する。デジタル音声信号を符号化するための処理として、ＡＤＰＣＭ等による圧縮処理、符号化パラメータや伝送誤りを訂正するための情報付加などが考えられるが、ここでは具体的な処理内容は問わない。
【００８２】
符号化されたデータは、音声伝送部５９へ入力される。音声伝送部５９は無線モジュール１７（図１）の送信機能を利用して、符号化データを他機器へ無線送信する。
【００８３】
図１１は、第２実施形態に係る無線通信機能付きヘッドセットの具体的動作を示す。ここでは、ユーザが無線通信機能付きヘッドセットを使用して、室内にあるエアコンとパーソナルコンピュータの双方を無線制御する例を説明する。マイクロホンで採取されたユーザの音声は、ひとつには、ヘッドセットの認識結果送信手段２５の出力としてエアコンに無線送信され、他方では、音声伝送手段５３の出力（符号化データ）としてパーソナルコンピュータに無線送信される。
【００８４】
ヘッドセット内の音声認識部２３の認識語彙記憶部４７と音声モデル作成・記憶部４９の記憶内容、およびエアコン側の設定記憶内容は、第１実施形態と同様のものとする。また、パーソナルコンピュータには、大容量のハードディスクが接続されており、無線通信機能付きヘッドセットから受信した音声データは、すべてこのハードディスクに蓄積されるものとする。
【００８５】
図１１（ａ）の例では、ユーザが、機能切り替えスイッチ５１によって音声認識モードに設定した状態で、「えあこんつける」と音声コマンドを発声したところを示している。ユーザが発声した音声はマイクロホンで検出され、Ａ／Ｄ変換部２１でデジタル信号に変換される。デジタル信号は二分され、上述したように、一方は音声認識部２３へ入力され、もう一方は音声伝送手段５３へ入力される。
【００８６】
このとき、機能選択スイッチ５１の状態１であるため、機能選択部１９は音声認識動作信号を音声認識部２３に出力し、また、音声伝送停止信号を音声伝送手段５３に出力する。
【００８７】
音声認識部２３に入力されるデジタル信号は、まず認識用信号遮断機４１に入力される。機能選択部１９からの音声認識動作信号によって認識用信号遮断機４１が閉になっているため、デジタル信号はそのまま音響分析部４３に入力される。照合以降の処理は第１実施形態と同様である。すなわち、モデル照合部４５から認識結果として識別信号「０１」が出力され、認識結果伝送手段２５から信号「０１」がエアコンに無線送信される。
【００８８】
一方、音声伝送手段５３に入力されるデジタル信号は、伝送用信号遮断機５５に入力される。機能選択部１９が音声伝送停止信号を出力しているため、伝送用信号遮断機は開である。したがって、デジタル信号は音声符号化部に入力されず、以降の処理は行われない。
【００８９】
図１１（ｂ）は、ユーザが、機能切り替えスイッチ５１で声伝送手段処理モードを選択している状態で、「今日は音楽について話します」と発声したところである。ユーザが発声した音声はマイクロホンで検出され、Ａ／Ｄ変換部２１でデジタル信号に変換される。デジタル信号は二分され、一方は音声認識部２３へ入力され、もう一方は音声伝送手段５３へ入力される。
【００９０】
機能選択スイッチ５１が状態２であるため、機能選択部１９は音声認識停止信号を音声認識部２３に出力し、また、音声伝送動作信号を音声伝送手段５３に出力する。
【００９１】
音声認識部２３に入力されるデジタル信号は、まず認識用信号遮断機４１に入力されるが、機能選択部１９が音声認識停止信号を出力しているため、認識用信号遮断機４１は開である。したがって、デジタル信号は音響分析部４３には入力されず、以降の処理は行われない。
【００９２】
一方、音声伝送手段５３に入力されるデジタル信号は、まず伝送用信号遮断機５５に入力される。機能選択部が音声伝送動作信号を出力しているため、伝送用信号遮断機５５は閉である。したがって、デジタル信号は音声符号化部５７で符号化され、音声伝送部５９から無線通信モジュール１７を介して、パーソナルコンピュータに無線送信される。
【００９３】
パーソナルコンピュータは、ヘッドセットから送られてきた符号化音声を復号して、デジタル音声信号に戻し、ハードディスクに記録する。すなわち、ユーザが喋った内容が、ヘッドセットから無線通信により、パーソナルコンピュータに記録される。パーソナルコンピュータの容量は十分にあるので、ユーザの話した内容は、音声としてでも、テキスト変換した状態ででも格納することができる。また、記録された音声は、適宜検索、再生することができる。
【００９４】
また、後述するように、パーソナルコンピュータに音声認識機能を設けた場合は、ヘッドセットから送信された音声信号により難易度の高い正確な音声認識処理を施すことができる。
【００９５】
このような構成により、無線機能付きヘッドセットを着用したユーザは、ハンズフリーの状態で、自己の選択に応じて、複数の機器を対象に、音声の処理を行うことができる。たとえば、音声コマンドによる他の機器の制御のみならず、自分が話した内容をリアルタイムで記録することも可能になる。
【００９６】
(第３の実施形態)
図１２および１３は、本発明の第３実施形態に係る無線機能付きヘッドセットのシステム構成の概略を示す。
【００９７】
第３実施形態では、第２実施形態同様に、音声信号は、音声コマンドのための音声認識処理と、音声データの無線送信のための伝送処理の双方で処理可能である。第３実施形態では、機能選択スイッチにこれらの２つの処理モードに加え、どちらでも処理しないＯＦＦモードを追加する。
【００９８】
図１２および１３に示すように、機能選択手段６０は、機能選択スイッチ６１と機能選択部１９とで構成される。ユーザは必要に応じて、機能選択スイッチ６１で３つの状態を切り替えることができる。ユーザが、自分が発した音声の音声認識処理を選択した場合には状態１、音声を音声伝送処理することを選択した場合は状態２、音声を音声認識手段でも音声伝送手段でも処理しないことを選択した場合は状態３とする。
【００９９】
機能選択スイッチ６１の一例を図１３に示す。機能選択スイッチ６１には、３つの押しボタンスイッチが設けられており、これら３つのボタンは、常にいずれか１つだけがＯＮ状態であるように構成される。ユーザが押しボタンスイッチ１０１を押して音声認識をＯＮにした場合、機能選択スイッチ６１は状態１になる。これに連動して押しボタンスイッチ１０２、１０３は自動的にＯＦＦになる。ユーザが押しボタンスイッチ１０２を押して音声伝送をＯＮにした場合には、機能選択スイッチ６１は状態２になり、これに連動して押しボタンスイッチ１０１、１０３は自動的にＯＦＦになる。押しボタンスイッチ１０３が押された時は、機能選択スイッチ６１は状態３になり、これに連動して、押しボタンスイッチ１０１、１０２は自動的にＯＦＦになる。
【０１００】
機能選択部１９は、機能選択スイッチ６１の状態が状態1の場合には、音声認識部２３に音声認識動作信号を出力すると同時に、音声伝送手段５３に音声伝送停止信号を出力する。機能選択スイッチ６１の状態が状態２の場合には、音声認識部２３に音声認識停止信号を出力すると同時に、音声伝送手段５３に音声伝送動作信号を出力する。機能選択スイッチ６１の状態が状態３の場合には、音声認識部２３に音声認識停止信号を出力すると同時に、音声伝送手段５３にも音声伝送停止信号を出力する。
【０１０１】
音声認識部２３の動作は、第１および第２実施形態と同様であり、音声伝送手段５３の動作は、第２実施形態と同様である。
【０１０２】
ユーザが、音声認識部２３でも音声伝送手段５３でも処理をしないことを選択した場合、すなわち機能選択スイッチ６１が状態３の場合、音声認識停止信号及び音声伝送停止信号によって、認識用遮断機４１、伝送用遮断機５５の双方が開になっている。したがって、音響分析部４３、モデル照合部４５、認識結果伝送手段２５、音声符号化部５７、音声伝送部５９の処理は行われず、演算量は大きく低減する。
【０１０３】
音響分析部４３、モデル照合部４５、音声符号化部５７、音声伝送部５９を実現するＣＰＵが省電力モードを有する場合には、ユーザがＯＦＦモードを選択した場合（すなわち、機能選択スイッチ６１が状態３になったとき、もしくは音声認識停止信号と音声伝送停止信号が検出されたとき）、ＣＰＵを省電力モードに移行させることが可能である。省電力モードでは、ＣＰＵの演算能力と使用電力を低減させて電力を節約することができる。したがって、バッテリーに対する負荷が減少し、ヘッドセットの動作時間を延長することができる。機能選択スイッチ６１が状態３から脱したとき、あるいは音声認識動作信号と音声伝送動作信号の少なくとも一方が出力されたときは、速やかにＣＰＵを本来の演算能力が発揮できる通常モードに移行させればよい。
【０１０４】
図１４および１５は、第３実施形態に係る無線通信機能付きヘッドセットの具体的動作を例示する。第２実施形態と同様に、ヘッドセットを着用したユーザが、室内のエアコンとパーソナルコンピュータに対して、音声コマンドによる制御、または音声データの伝送を行う場面を想定する。
【０１０５】
音声認識部２３の認識語彙記憶部４７と音声モデル作成・記憶部４９の記憶内容およびエアコンのテーブル設定は、第１、第２の実施形態と同様である。また、第２実施形態と同様に、パーソナルコンピュータには大容量のハードディスクが接続されており、無線通信機能付きヘッドセットから受信した音声データはすべてこのハードディスクに蓄積されるものとする。
【０１０６】
図１４（ａ）は、ユーザが機能選択スイッチ６１で音声認識モードを選択して、マイクロホンに向かって「えあこんつける」と音声コマンドを発声したところを示す。ユーザの音声はマイクロホンで検出され、Ａ／Ｄ変換部２１でデジタル信号に変換される。デジタル信号は二分され、一方は音声認識部２３へ入力され、もう一方は音声伝送手段５３へ入力される。機能選択スイッチ６１が状態１であるため、機能選択部１９は音声認識動作信号を音声認識部２３に出力し、音声伝送停止信号を音声伝送手段５３に出力する。この場合、第２実施形態（図１１（ａ））と同様に、エアコンに対してコマンド「０１」が無線送信され、エアコンは動作を開始する。一方、パーソナルコンピュータに音声データは転送されない。
【０１０７】
図１４（ｂ）は、ユーザが、機能切り替えスイッチ６１で音声伝送モードを選択した状態で「今日は音楽について話します」と発声したところを示している。ユーザが発声した音声はマイクロホンで検出され、Ａ／Ｄ変換部２１でデジタル信号に変換される。デジタル信号は二分され、一方は音声認識部２３へ入力され、もう一方は音声伝送手段５３へ入力される。
【０１０８】
機能選択スイッチ６１は状態２にあるため、機能選択部１９は音声認識停止信号を音声認識部２３に出力し、音声伝送動作信号を音声伝送手段５３に出力する。このとき、第２実施形態(図１１（ｂ）)と同様に、エアコンに対してはなにも送信されないが、パーソナルコンピュータに符号化された音声信号が送信される。これにより、ユーザは自分が話した内容を、たとえばＰＣ内のメモリに記録することができる。パーソナルコンピュータ側にも、コマンド語彙と単語ＩＤのテーブルが設定されている場合には、記録に際して、ユーザはパーソナルコンピュータに対して音声認識処理済みの音声コマンドを無線送信し、コンピュータをＯＮにすることも可能である。
【０１０９】
図１５は、機能切り替えスイッチ６１がＯＦＦモード、すなわち音声認識も音声伝送処理もしないことを選択している状態で、ユーザが「今日は音楽について話します」と発声したところを示している。ユーザが発声した音声はマイクロホンで検出され、Ａ／Ｄ変換部２１でデジタル信号に変換される。デジタル信号は二分され、一方は音声認識部２３へ入力され、もう一方は音声伝送手段５３へ入力される。
【０１１０】
機能選択スイッチ６１が状態３であるため、機能選択部１９は、音声認識停止信号を音声認識部２３に出力し、音声伝送停止信号を音声伝送手段５３に出力する。
【０１１１】
音声認識手段２３に入力されるデジタル信号は、まず認識用信号遮断機４１に入力されるが、機能選択部１９が音声認識停止信号を出力しているため、認識用信号遮断機４１は開である。したがって、デジタル信号は音響分析部４３に入力されず、以降の処理は行われない。
【０１１２】
同様に、音声伝送手段５３に入力されるデジタル信号は、まず伝送用信号遮断機５５に入力されるが、機能選択部１９が音声伝送停止信号を出力しているため、伝送用信号遮断機５５も開である。したがって、デジタル信号は音声符号化部５７に入力されず、以降の処理は行われない。
【０１１３】
したがってエアコンに音声制御信号は送られず、パーソナルコンピュータにも音声データは送信されない。しかしユーザは、音声の認識処理やそれにともなう動作、たとえば他機器の制御やディクテーションを目的としない機能を使用することは可能である。したがって、ユーザはヘッドセットに内蔵されたスピーカで音楽や第三者の音声を聞くことができる。
【０１１４】
(第４実施形態)
図１６および１７は、本発明の第４実施形態に係る無線通信機能付きヘッドセットのシステム構成の概略を示す。
【０１１５】
マイクロホン１３で検出された音声はＡ／Ｄ変換器２１に入力され、アナログ信号からデジタル音声信号に変換される。デジタル音声信号は二分され、一方は音声認識部２３へ入力され、もう一方は音声伝送手段５３へ入力される。
【０１１６】
機能選択手段７０は、機能選択スイッチ７１と機能選択部１９とで構成される。機能選択スイッチ７１は、ユーザの操作により３状態を切り替えることができる。ユーザが、マイクロホン１３で検出した音声信号を音声認識部２３で処理することを選択した場合には状態１、マイクロホン１３で検出した音声信号を音声伝送手段５３で処理することを選択した場合は状態２、マイクロホン１３で検出した音声信号を音声認識部２３と音声伝送手段５３の両方で処理することを選択した場合には状態３とする。
【０１１７】
図１７は、機能選択スイッチ７１の一例を示す。機能選択スイッチ７１は、音声認識ボタン１０１、音声伝送ボタン１０２、両モードボタン１０４の３つの押しボタンスイッチを有する。これらの押しボタンスイッチは、常にいずれか１つのみがＯＮになるように構成される。ユーザが押しボタンスイッチ１０１をＯＮにした場合には、機能選択スイッチ７１は状態１になり、これに連動して押しボタンスイッチ１０２，１０４は自動的にＯＦＦになる。同様に、ユーザが押しボタンスイッチ１０２をＯＮにした場合には、機能選択スイッチ７１は状態２になり、これに連動して押しボタンスイッチ１０１，１０４は自動的にＯＦＦになる。押しボタンスイッチ１０４がＯＮにされた場合には、機能選択スイッチ７１は状態３になり、これに連動して押しボタンスイッチ１０１、１０２は自動的にＯＦＦになる。
【０１１８】
機能選択部１９は、機能選択スイッチ７１が状態１の場合には、音声認識部２３に音声認識動作信号を出力し、音声伝送手段５３に音声伝送停止信号を出力する。機能選択スイッチ７１が状態２の場合は、音声認識部２３に音声認識停止信号を出力し、音声伝送手段５３に音声伝送動作信号を出力する。機能選択スイッチ７１が状態３の場合は、音声認識部２３に音声認識動作信号を出力すると同時に、音声伝送手段５３に音声伝送動作信号を出力する。
【０１１９】
音声認識部２３および音声伝送手段５３の動作は、先に述べた実施形態と同様である。
【０１２０】
図１８は、図１６の無線通信機能付きヘッドセットの具体的動作を説明するための図である。図１８（ａ）および１８（ｂ）に示す例では、第３実施形態と同様、無線通信機能付きヘッドセットを着用したユーザが、機能選択スイッチ７１で音声認識モードと音声伝送モードとを切り替え選択して、エアコンの音声制御と、パーソナルコンピュータへの音声データの送信、記録を行う。ヘッドセットの認識語彙記憶部およびの音声モデル作成・記憶部の記憶内容は、第１実施形態の例と同様である。エアコン側の設定も第1の実施形態の例と同様であり、また、パーソナルコンピュータには大容量のハードディスクが接続されており、無線通信機能付きヘッドセットから受信した音声データはすべてこのハードディスクに蓄積されるものとする。
【０１２１】
図１９は、ユーザが機能切り替えスイッチ７１で、音声認識と音声伝送の双方で音声を処理することを選択している状態である。ヘッドセットを着用したユーザは、「エアコンいれて」と発声したところである。ユーザが発声した音声はマイクロホン１３で検出され、Ａ／Ｄ変換部２１でデジタル信号に変換される。デジタル信号は二分され、一方は音声認識部２３へ入力され、もう一方は音声伝送手段５３へ入力される。
【０１２２】
機能選択スイッチ７１が状態３であるため、機能選択部１９は音声認識動作信号を音声認識部２３に出力し、かつ、伝送動作信号を音声伝送手段５３に出力する。
【０１２３】
音声認識部２３に入力されるデジタル信号は、まず認識用信号遮断機４１に入力される。機能選択部１９が音声認識動作信号を出力しているため、認識用信号遮断機４１は閉である。デジタル音声信号は音響分析部に入力され、認識結果「０１」がエアコンに無線送信され、エアコンは動作を開始する。
【０１２４】
一方、音声伝送手段５３に入力されるデジタル信号は、まず伝送用信号遮断機５５に入力される。機能選択部１９が音声伝送動作信号を出力しているため、伝送用信号遮断機５５も閉になる。デジタル音声信号は音声符号化部に入力され、符号化された音声信号がパーソナルコンピュータに無線送信される。
【０１２５】
この場合、パーソナルコンピュータに蓄積された音声データには、無線通信機能付きヘッドセットの音声認識部２３で認識されることが期待されて発声された音声成分も含まれている。したがって、パーソナルコンピュータの中に蓄積された音声を再生することで、音声認識部２３の操作履歴を調べることが可能である。
【０１２６】
第４実施形態では、ユーザが発声した音声が、機器制御のための音声コマンドとして認識されると同時に、パーソナルコンピュータに記録、蓄積される音声データとしても処理される。このような構成のヘッドセットは、例えば、研究室や工場等で、装置、機器をキー操作なしに音声コマンドで遠隔制御しつつ、同時にその操作制御記録をコンピュータ等に記録することが可能になる。また、ヘッドセット内での音声認識処理は、単語認識に基づいた音声コマンドの処理を例にとっているが、上述したように、本発明のヘッドセットの音声認識はこれに限定されない。
【０１２７】
(第５実施形態)
図２０は、本発明の第５実施形態に係る無線通信機能付きヘッドセットのシステム構成の概略を示す。第５実施形態は、上述した第３実施形態と第４実施形態を組み合わせたものであり、機能選択スイッチが、音声認識モード、音声伝送モード、ＯＦＦモード、音声認識／伝送モードの４つのモードを有する。
【０１２８】
第３および第４実施形態と同様に、マイクロホン１３で検出された音声はＡ／Ｄ変換器２１に入力され、アナログ信号からデジタル音声信号に変換される。デジタル音声信号は二分され、一方は音声認識部２３に入力され、もう一方は音声伝送手段５３に入力される。
【０１２９】
機能選択手段８０は、機能選択スイッチ８１と機能選択部１９とで構成される。機能選択スイッチ８１はユーザの選択により、４状態を切り替えることができる。ユーザが、マイクロホン１３で検出した音声信号を音声認識部２３で処理することを選択した場合は状態１、音声伝送手段５３で処理することを選択した場合は状態２、音声認識部２３と音声伝送手段５３の双方で処理することを選択した場合には状態３、いずれでも処理しないことを選択した場合には状態４となる。
【０１３０】
図２１は、機能選択スイッチ８１の一例を示す。機能選択スイッチ８１は、４個の押しボタンスイッチを有し、これら４個の押しボタンスイッチは、常にいずれか１つのみがＯＮになるように構成されている。ユーザが押しボタンスイッチ１０１をＯＮにした場合は、機能選択スイッチ８１は状態１になり、これに連動して他の３つの押しボタンスイッチ１０２，１０３，１０４は自動的にＯＦＦになる。同様に、いずれの１つを選択しても、他の３つは自動的にＯＦＦになる。
【０１３１】
機能選択スイッチ８１の状態（モード）に呼応する機能選択部１９の信号出力状態と、それに応じた信号遮断器４１，５５の動作、無線送出される単語ＩＤは、第３および第４実施形態と同じなので、ここでは説明を省略する。
【０１３２】
図２２および２３は、図２０に示す無線通信機能付きヘッドセットの具体的動作の例を示す。ヘッドセットを着用したユーザは、機能選択スイッチ８１を操作することにより、４つのモードを適宜選択することができる。図２２（ａ）および２２（ｂ）では、音声認識モードと音声伝送モードを切り替えて、音声コマンドによるエアコンの制御と、パーソナルコンピュータへの音声データの送信、格納を切り替える例を示す。２３（ａ）および２３（ｂ）では、音声認識と音声伝送の双方を同時に行うモードと、いずれも行わないモードの例を示す。第３および第４実施形態で述べたのと同様に、両方を行うモードでは、音声コマンドでエアコンを制御すると同時に、その音声を符号化データとしてパーソナルコンピュータへも無線送信し、格納する。格納されたデータは、後に再生、分析可能である。ＯＦＦモードでは、音声認識も音声伝送も行われないが、ユーザは、ヘッドセットに内蔵されたスピーカで音楽や第三者の音声を聞くことができる。
【０１３３】
なお、ヘッドセット内の認識語彙記憶部や、音声モデル作成・記憶部の記憶内容、およびエアコンの記憶、設定は、第１実施形態と同様とする。パーソナルコンピュータには大容量のハードディスクが接続されており、無線通信機能付きヘッドセットから受信した音声データはすべてこのハードディスクに蓄積されるものとする。
【０１３４】
(第６実施形態)
図２４は、本発明の第６実施形態に係る音声処理システムの概略を示す。この音声処理システムは、第１〜第５実施形態で述べてきた無線通信機能付きヘッドセット１１０と、音声認識機能付き装置１３０とで構成される。このシステムでは、ヘッドセットの機能選択スイッチ１１４で、音声伝送モードを選択している場合には、マイクロホンで検出した音声信号はヘッドセットの音声伝送手段１５３を介して、音声認識機能付き装置１３０に無線送信され、装置側で音声認識処理される。ヘッドセットで音声認識モードが選択されている場合は、ヘッドセット内で音声認識処理される。
【０１３５】
すなわち、無線通信機能付きヘッドセット１１０は、ユーザの音声を検出するマイクロホン１１３と、マイクロホン１１３で検出された音声の認識処理を行う音声認識手段と、認識結果を無線送出する認識結果伝送手段１２５と、マイクロホン１１３で検出された音声信号を符号化された音声データとして無線送出する音声伝送手段１５３と、音声認識と音声伝送のいずれかの処理を選択する機能選択スイッチ１１４とを有する。
【０１３６】
一方、音声認識機能付き装置１３０は、ヘッドセットから無線送信された音声データを受信する音声受信手段１４０と、受信された音声を認識処理する音声認識エンジン１５０とを有する。
【０１３７】
図２５は、図２４に示す音声認識機能付き装置１３０の音声受信手段１４０を示す。ヘッドセットから無線通信で送られてきた符号化された音声信号は、符号化音声受信部１４１で受信され、符号化音声復号部１４３に入力される。
【０１３８】
符号化音声復号部１４３は、符号化音声の復号処理を行い、デジタル音声信号を音声認識エンジン１５０に出力する。
【０１３９】
音声認識エンジン１５０は、単語音声認識技術、大語彙文音声認識技術のいずれを利用してもよい。ここでは大語彙文音声認識技術を用いた場合の構成を説明する。
【０１４０】
図２６は、文音声認識技術を使用した音声認識エンジン１５０の概略図である。音声認識エンジン１５０では、あらかじめ入力音声の中で使われる可能性のある語彙を収集してある。たとえば、単語単位の語彙とする場合は、各単語の表記、読み、単語ＩＤを認識語彙記憶部１５７に記憶しておく。通常、このような単語として数万〜１０万単語程度を記憶させるが、話題や文型を制限できる場合などは、単語数を絞り込んで記憶容量を削減することも可能である。
【０１４１】
また、あらかじめ認識語彙記憶部１５７に記憶された各単語間の接続し易さを表す言語モデルを作成しておき、言語モデル記憶部１６１に記憶しておく。言語モデルとしては、例えば、大量に集めた文データベース中の単語の出現頻度、２単語組み、３単語組みの出現頻度を元に作成した確率値を用いることができる。
【０１４２】
音声モデル作成・記憶部１５９は、認識語彙記憶部１５７に記憶されている各単語の読みから単語音声モデルを生成し、その単語の単語ＩＤと組にして記憶しておく。ここで単語音声モデルは一般によく知られているＨＭＭ（Hidden Markov Model）が用いられることが多いが、これに限定されるものではない。
【０１４３】
音響分析部１５１では、入力された音声を特徴パラメータに変換する。音声認識に使用される代表的な特徴パラメータとしては、バンドパスフィルタやフーリエ変換によって求めることができるパワースペクトル、あるいはＬＰＣ(線形予測)分析によって求めたケプストラム係数などがよく用いられるが、ここではその特徴パラメータの種類は問わない。音響分析部では、一定時間ごとに入力音声の特徴パラメータに変換する。したがってその出力は特徴パラメータの時系列(特徴パラメータ系列)となる。
【０１４４】
モデル照合部１５５は、音声モデル作成・記憶部１５９に記憶された単語の各音声モデルと連結した連続単語音声モデルと、入力された特徴パラメータ系列との類似度あるいは距離を求め、音響的類似度(距離)を計算する。また、連続単語音声モデルを構成する各単語の並びと、言語モデル記憶部１６１に記憶された各言語モデルとを照合し、言語的な確からしさを計算する。モデル照合部１５５は、音響的類似度と、言語的な確からしさとを勘案して、入力された特徴パラメータ系列ともっともよく照合する単語系列を求め、その単語系列を構成する単語の単語ＩＤ系列を構成する単語の単語ＩＤ系列を認識結果として、単語ＩＤ表記変換部１６３に出力する。
【０１４５】
単語ＩＤ表記変換部１６３は、単語ＩＤ系列と、認識語彙記憶部１５７に記憶されている単語ＩＤ、表記とを照合し、表記を連結することによって単語ＩＤ系列に対応する文字列に変換する。
【０１４６】
図２７は、図２４，２５に示す音声処理システムの具体的動作を例示する。図２７の例では、無線通信機能付きヘッドセットを着用したユーザが、機能選択スイッチ１１４で音声伝送モードを選択し、自分が話す音声を、音声認識機能付き装置(パーソナルコンピュータ)へ転送する。
【０１４７】
ユーザが発声した「今日は音楽について話します」という音声は、マイクロホン１１３で検出され、符号化されて、音声伝達手段１５３からパーソナルコンピュータに転送される。パーソナルコンピュータは受信した信号を復号化して、音声認識処理を行う。コンピュータ側では、音声認識エンジン１５０の認識語彙記憶部１５７にあらかじめ単語の表記と読みと単語ＩＤとを対応づけて格納している。
【０１４８】
図２８は、認識語彙記憶部１５７の記憶内容例を示す。例えば、表記「音楽」に対応して、読み「おんがく」と、単語ＩＤ「００８１１」が登録されている。音声モデル作成・記憶部１５９は、認識語彙記憶部１５７の記憶内容にしたがって、「音楽」等に対応する単語音声モデルを作成し、記憶する。
【０１４９】
図２９は、言語モデル記憶部１６１の記憶内容例を示す。図２９に示す記憶内容例では、第１の単語ＩＤと、その直後に連続する第２の単語ＩＤと、第１の単語ＩＤで示される単語に直接後続して第２の単語ＩＤで示される単語が出現する度合い（出現し易さ）を対応づけて格納する。例えば、単語ＩＤが００７１２の単語と、単語ＩＤが００８１１の単語が連続して用いられる度合い（出現し易さ）は０．０１２である。また、単語ＩＤが００７１２の単語に引き続いて単語ＩＤが０２１５５の単語が用いられる度合い（出現し易さ）は０．５８４である。
【０１５０】
認識語彙記憶部１５７の記憶内容を照合すれば、上述したそれぞれの単語ＩＤの組み合わせが、「を」「音楽」と、「を」「します」を表すことがわかる。また、出現し易さを参照するなら、後者の組み合わせのほうが、前者に比べて連続して出現する確率が高いことがわかる。したがって、文字列「をします」が優先的に選択されることになる。
【０１５１】
図２５、２６に戻ると、ヘッドセットから転送された音声は、まずパーソナルコンピュータの符号化音声受信部１４１で受信され、符号化音声復号部１４３で音声信号に復号された後、音声認識エンジン１５０に入力される。
【０１５２】
復号された音声信号は、音響分析部１５１で特徴パラメータ系列に変換されて、モデル照合部１５５に入力される。モデル照合部１５５では、音声モデル作成・記憶部１５９に記憶された各単語の音声モデルと、言語モデル記憶部１６１に記憶された言語モデルにもとづいて、パラメータ系列に対応する単語ＩＤの系列を求める。この場合、得られる単語ＩＤ系列は「01211、12322、00811、08211、12596、00712、02155」となる。
【０１５３】
単語ＩＤ表記変換部１６３では、上記単語ＩＤ系列の各単語ＩＤに対応する表記を求め、さらにそれを連結することによって、「今日は音楽の話をします」という文字列を得る。
【０１５４】
音声認識機能付き装置１３０が文字を表示する機能を持つ場合、モデル照合部１５５で変換された文字列を音声認識機能付き装置１３０上に表示することによって、ユーザは自分が話した内容を文字としてその場で確認することができる。図３０は、このようにしてパーソナルコンピュータが文字列をテキストとして表示した例を示す。
【０１５５】
また、音声認識機能付き装置１３０が編集機能を有する場合、その場でリアルタイムの編集を行うことができる。この場合、音声信号を蓄積しておいて、それを後から文字列に変換し、編集する場合に比較して、作業効率が格段に向上する。
【０１５６】
さらに、無線通信機能付きヘッドセット１１０の機能選択スイッチ１１４を、ヘッドセット自体が有する音声認識部１２３で認識するように切り替え、そこで編集用のコマンド音声を認識し、認識結果を音声認識機能付き装置１３０に無線送信するようにすれば、編集作業を音声で行うことも可能である。機能選択スイッチ１１４がヘッドセットに設けられているので、処理モードの切り替えの手間はここでは問題にならない。音声認識機能付き装置１３０に、コマンド音声を認識する機能を追加することによってスイッチの切り替えを省略することも可能であるが、この場合は、音声認識機能付き装置１３０に、文字列を表示するための音声なのか、編集用コマンドなのかを判定する機能をさらに追加する必要がある。
【０１５７】
また、音声認識機能付き装置１３０が文字列を記憶する機能を有する場合、文字列に変換した結果をその場で蓄積することができる。この構成により、音声を記憶するよりも小さい記憶容量で発声した内容を記録することができる。また、文字列に変換されているため、検索等が容易になる。復号した音声を文字列と組にして記憶すると、さらに有用性が増す。具体的には、検索用文字列で文字列を検索し、検索された文字列に対応する音声を再生することが可能となる。
【０１５８】
また、認識機能付き装置１３０の音声認識エンジン１５０が、単語音声認識技術を用いたものである場合、その認識結果を使用して音声認識機能付き装置１３０の操作を行うことが可能である。例えば、音声認識機能付き装置がパーソナルコンピュータであり、その上でアプリケーションソフトを起動している場合、そのアプリケーションの操作を音声で行うことが可能となる。
【０１５９】
（第７実施形態）
図３１は、本発明の第７実施形態に係る音声処理システムを示す。このシステムは、無線通信機能付きヘッドセット１７０と、第１の装置としての音声認識機能付き装置２００と、無線機能付き装置２００と無線通信可能な第２の装置（不図示）で構成される。音声認識機能付き装置２００は、音声受信手段２１０、音声認識エンジン２２０に加え、認識結果伝送手段２３０を有し、認識結果を第２の装置へ無線送信する。
【０１６０】
音声受信手段２１０は図２４の音声受信手段１４０と同様である。音声認識エンジン２２０は単語音声認識技術、大語彙文音声認識技術のいずれを利用してもよい。ここでは単語音声認識技術を使用するものとする。
【０１６１】
図３２は、単語音声技術を利用した場合の音声認識エンジン２２０の構成を示す。音響分析部２２３、モデル照合部２２５、認識語彙記憶部２２７、音声モデル作成・記憶部２２９は、第１実施形態の無線通信機能付きヘッドセット１０に設けられた音声認識部で用いられるのと同様の構成である。
【０１６２】
音声認識エンジン２２０から認識結果として出力される単語ＩＤは、認識結果伝送手段２３０に入力される。認識結果伝送手段２３０は、受け取った単語ＩＤを、他の機器に送信する。他の機器への送信方法として、無線通信、有線通信等が考えられるが、ここではその手段は問わない。
【０１６３】
図３３は、図３１の音声処理システムの具体的動作を例示する。無線通信機能付きヘッドセット１７０を着用したユーザが、第１の装置としての音声認識機能付きパーソナルコンピュータを介して、第２の装置としてのエアコンを音声制御する。
【０１６４】
ユーザは、ヘッドセットの機能選択スイッチ１７４で、音声伝送モードを選択している。したがって、マイクロホン１７３で検出された「エアコンつける」という音声は、音声伝送手段１８３で符号化処理され、パーソナルコンピュータに無線通信により転送される。
【０１６５】
図３４は、パーソナルコンピュータ内の認識語彙記憶部２２７の記憶内容例を示す。認識語彙記憶部２２７は、「えあこんつける」、「えあこんとめる」、「おんどあげる」、「おんどさげる」という語彙に対応して、それぞれ単語ＩＤ「０１」、「０２」、「０３」、「０４」を与えて格納する。パーソナルコンピュータが「えあこんつける」という語彙を認識した場合、単語ＩＤ「０１」がエアコンに対して無線送信されることになる。
【０１６６】
認識語彙記憶部２２７の記憶内容にしたがって、音声モデル作成・記憶部２２９で新たな記憶内容が作成され記憶される。この例の場合、「えあこんつける」、「えあこんとめる」、「おんどあげる」、「おんどさげる」の各単語に対応する音響モデルが作成され、各単語の単語ＩＤと組になって記憶される。
【０１６７】
一方、エアコンは、図３５に示すように、それぞれの単語ＩＤと、それに対応する動作とを組にして記憶し、特定の単語ＩＤを受信したときに、その単語ＩＤに対応した動作を行う。
【０１６８】
パーソナルコンピュータの音声受信手段２１０で受信された符号化音声は符号化音声復号部で音声信号に変換され、音声認識エンジン２２０に入力される。音声信号は音響分析部２２３で特徴パラメータ系列に変換され、モデル照合部２２５に入力される。モデル照合部２２５は、入力された特徴パラメータ系列と、音響モデル作成・記憶部２２９に記憶された各単語の音声モデルを照合する。「えあこんつける」に対応する音声モデルの類似度がもっとも高くなった場合に、照合部２２５は認識結果として単語ＩＤ「０１」を出力する。
【０１６９】
単語ＩＤ「０１」は認識結果伝送手段２３０に入力され、無線通信により、エアコンに対して単語ＩＤ「０１」が送信される。エアコンは単語ＩＤ「０１」を受信すると、図３５のテーブルにしたがって、単語ＩＤに対応するエアコン機能の動作を開始する。
【０１７０】
この構成により、無線通信機能付きヘッドセット１７０のマイクロホン１７３で検出されたユーザの音声は、ほぼリアルタイムで音声認識機能付き装置２００で音声認識され、その認識結果を別の機器に送信することが可能となる。
【０１７１】
音声認識機能付き装置２００がパーソナルコンピュータのように演算能力が大きい場合には、その音声認識エンジン２２０は、ヘッドセットの音声認識部１７７よりも機能的な制限が少なくなり、例えば認識語彙を大幅に増やすことができる。また、音声認識機能付き装置２００の音声認識機能がなんらかの理由で使用できなくなった場合でも、ヘッドセットの音声認識部１７７で処理するように機能選択スイッチ１７４を切り替えれば、音声を用いた機器操作を続行することが可能である。
【０１７２】
音声認識エンジン２２０に、図２４の音声認識エンジン１５０と同様に大語彙文音声認識技術を用いた場合には、文字列に変換した結果を直ちに他の機器に転送することが可能になる。文字列を転送するのに必要な通信量は、音声を転送するのに必要な通信量と比べて小さいため、通信量を削減することができる。本システムでは発声とほぼ同時に、その音声の認識を行うことができる。従来のように、蓄積した音声を認識して、その結果を転送する技術では、すべての発声が終わった後で音声認識技術を使用し、その後転送するので、時間的な遅れがどうしても生じるが、第６実施形態のシステムでは、ユーザの発声と平行して音声を認識するため、時間的な遅れを削減することができる。
【０１７３】
以上、上述した実施形態では、ヘッドセット内、あるいは外部機器側の音声認識として単語認識を例にとって説明したが、本発明はこれに限定されない。特に、ヘッドセット内部では、連続単語認識、文認識、単語スポッティング、音声意図理解などの、演算量、メモリ、消費電力の少ない簡便な音声認識であれば、任意の音声認識を行うことができる。
【図面の簡単な説明】
【０１７４】
【図１】本発明の第１実施形態に係る無線通信機能付きヘッドセットの概略図である。
【図２】図１のヘッドセットの概略ブロック図である。
【図３】図２の機能選択スイッチの一例を示す図である。
【図４】図２の音声認識部の内部構成例を示す図である。
【図５】図４の認識語彙記憶部の記憶内容例を示す図である。
【図６】エアコンが受け取った単語ＩＤと、エアコンの動作の対応を示す図である。
【図７】機能選択スイッチにより音声認識モードのＯＮ／ＯＦＦ制御を示す図である。
【図８】本発明の第２実施形態に係る無線機能付きヘッドセットのシステム構成を示す概略図である。
【図９】図８のヘッドセットで使用される機能選択スイッチの一例を示す図である。
【図１０】図８に示す音声伝送手段の内部構成を示す図出ある。
【図１１】機能選択スイッチにより、音声認識と音声伝送処理を切り替え選択する図である。
【図１２】本発明の第３実施形態に係る無線通信機能付きヘッドセットのシステム構成を示す概略図である。
【図１３】図１２に示す機能選択スイッチの一例を示す図である。
【図１４】図１３の機能選択スイッチにより、音声認識モードまたは音声伝送モードを選択したときの図である。
【図１５】図１３の機能選択スイッチにより、ＯＦＦモードで音声認識と音声伝送のいずれも行わない例を示す図である。
【図１６】本発明の第４実施形態に係る無線通信機能付きヘッドセットのシステム構成を示す概略図である。
【図１７】図１６の機能選択スイッチの一例を示す図である。
【図１８】図１７の機能選択スイッチで、音声認識モードまたは音声伝送モードを選択したときの図である。
【図１９】図１７の機能選択スイッチで、音声認識と音声伝送の双方で音声の処理を行う例を示す図である。
【図２０】本発明の第５実施形態に係る無線通信機能付きヘッドセットのシステム構成を示す概略図である。
【図２１】図２０の機能選択スイッチの一例を示す図である。
【図２２】図２０の機能選択スイッチで、音声認識モードまたは音声伝送モードを選択したときの図である。
【図２３】図１７の機能選択スイッチで、音声認識と音声伝送の双方で処理するモード、またはいずれでも処理を行わないＯＦＦモードを選択したときの図である。
【図２４】本発明の第６実施形態に係る音声処理システムの概略構成図である。
【図２５】図２４のシステムにおける音声認識機能付き装置の音声受信手段の構成例を示す図である。
【図２６】図２４のシステムにおける音声認識機能付き装置の音声認識エンジンの構成例を示す図である。
【図２７】図２４のシステムの使用例を示す図である。
【図２８】図２６の認識語彙記憶部の記憶内容例を示す図である。
【図２９】図２６の言語モデル記憶部の記憶内容例を示す図である。
【図３０】図２４の音声認識機能付き装置の画面表示例を示す図である。
【図３１】本発明の第６実施形態に係る音声処理システムの変形例を示す図である。
【図３２】図３１のシステムにおける音声認識機能付き装置の音声認識エンジンの構成例である。
【図３３】図３１に示す音声処理システムの使用例を示す図である。
【図３４】図３１のシステムにおける認識語彙記憶部の記憶内容例を示す図である。
【図３５】図３３に示す使用例で、エアコンがＰＣ経由で受け取った単語ＩＤと、エアコンの動作の対応を示す図である。
【符号の説明】
【０１７５】
１０、１１０、１７０  ヘッドセット
１３、１１３、１７３  マイクロホン
１４、５１、６１、７１、８１、１１４、１７４  機能選択スイッチ
１７  スピーカ
１６  ＣＰＵボード
１７  無線通信モジュール
１９、１１９、１８１  機能選択部
２０、５０、６０、７０、８０  機能選択手段
２１、１２１、７５  Ａ／Ｄ変換器
２３、１２３、１７７  音声認識部
２５、１２５、１７８、２３０  認識結果伝送手段
４１  認識用信号遮断機
４３、１５１、２２３  音響分析部
４５、１５５、２２５  モデル照合部  
４７、１５７、２２７  認識語彙記憶部
４９、１５９、２２９  音声モデル作成・記憶部
５３、１５３、１８３  音声伝送手段
５５  伝送用信号遮断機
５７  音声符号化部
５９  音声伝送部
１３０、２００  音声認識機能付き装置
１４０、２１０  音声受信手段
１４１  符号化音声受信部
１４３  符号化音声復号部
１５０、２２０  音声認識エンジン
１６１  言語モデル記憶部
１６３  単語ＩＤ表記変換
【図１】
2006023773.tif 000003
【図２】
2006023773.tif 000004
【図３】
2006023773.tif 000005
【図４】
2006023773.tif 000006
【図５】
2006023773.tif 000007
【図６】
2006023773.tif 000008
【図７】
2006023773.tif 000009
【図８】
2006023773.tif 000010
【図９】
2006023773.tif 000011
【図１０】
2006023773.tif 000012
【図１１】
2006023773.tif 000013
【図１２】
2006023773.tif 000014
【図１３】
2006023773.tif 000015
【図１４】
2006023773.tif 000016
【図１５】
2006023773.tif 000017
【図１６】
2006023773.tif 000018
【図１７】
2006023773.tif 000019
【図１８】
2006023773.tif 000020
【図１９】
2006023773.tif 000021
【図２０】
2006023773.tif 000022
【図２１】
2006023773.tif 000023
【図２２】
2006023773.tif 000024
【図２３】
2006023773.tif 000025
【図２４】
2006023773.tif 000026
【図２５】
2006023773.tif 000027
【図２６】
2006023773.tif 000028
【図２７】
2006023773.tif 000029
【図２８】
2006023773.tif 000030
【図２９】
2006023773.tif 000031
【図３０】
2006023773.tif 000032
【図３１】
2006023773.tif 000033
【図３２】
2006023773.tif 000034
【図３３】
2006023773.tif 000035
【図３４】
2006023773.tif 000036
【図３５】
2006023773.tif 000037